(57)【要約】  本発明の実施形態によって提供される、タッチ選択のための視覚的フィードバック方法および装置によれば、タッチ情報およびタッチの中心点が取得され、前述のタッチ情報は、タッチ領域および／またはタッチ圧力であり；フィードバックグラフの領域サイズは前述のタッチ情報に応じて決定され；および、ユーザがタッチ位置を決定するために、中央の前述のタッチの中心点を使用して、前述のフィードバックグラフは、フィードバックグラフの領域サイズに応じて表示される。フィードバックイメージのサイズは、タッチ情報（タッチ領域および／またはタッチ圧力）に応じて決定されるため、タッチ選択のための視覚的フィードバックの精度を向上させることができる。
2017502384.tif 000002
【特許請求の範囲】
【請求項１】
タッチ選択のための視覚的フィードバック方法であって：
タッチ情報およびタッチの中心点を取得するステップであって、前記タッチ情報は、タッチ領域および／またはタッチ圧力である、ステップと；
前記タッチ情報に応じてフィードバックグラフの領域サイズを決定するステップと；
ユーザがタッチ位置を決定するために、中央の前記タッチの中心点タッチの中心点を使用して、前記フィードバックグラフの前記領域サイズに応じて、前記フィードバックグラフを表示するステップと
を含む、方法。
【請求項２】
前記タッチ情報がタッチ領域である場合、前記タッチ情報に応じてフィードバックグラフの領域サイズを決定する前記ステップは：
S＝S0＋（S1−S0）×T（s）に従って前記フィードバックグラフの前記領域サイズを決定するステップを含み、ここで：
前記Sは、前記フィードバックグラフの前記決定された領域サイズであり；S0は、前記フィードバックグラフの予め設定された最小領域であり；S1は、前記フィードバックグラフの予め設定された最大領域であり；T（s）は、補間関数であり；sは、取得したタッチ領域の正規化値であって、
【数１】
2017502384.tif 000032
であり、ここで、Sinは、前記取得したタッチ領域であり、Sminは、予め設定された最小タッチ領域であり、Smaxは、予め設定された最大タッチ領域である、
請求項1に記載の方法。
【請求項３】
前記タッチ情報がタッチ圧力である場合、前記タッチ情報に応じてフィードバックグラフの領域サイズを決定する前記ステップは：
S＝S0＋（S1−S0）×T（p）に従って前記フィードバックグラフの前記領域サイズを決定するステップを含み、ここで：
前記Sは、前記フィードバックグラフの前記決定された領域サイズであり；S0は、前記フィードバックグラフの予め設定された最小領域であり；S1は、前記フィードバックグラフの予め設定された最大領域であり；T（p）は、補間関数であり；pは、取得したタッチ圧力の正規化値であって、
【数２】
2017502384.tif 000033
であり、ここで、Pinは、前記取得したタッチ圧力であり、Pminは、予め設定された最小タッチ圧力であり、Pmaxは、予め設定された最大タッチ圧力である、
請求項1に記載の方法。
【請求項４】
前記タッチ情報がタッチ領域およびタッチ圧力である場合、前記タッチ情報に応じてフィードバックグラフの領域サイズを決定する前記ステップは：
S＝f（s）＊g（p）／g（ps）に従って前記フィードバックグラフの前記領域サイズを決定するステップを含み、
ここで：
f（s）＝S0＋（S1−S0）＊T（s）
g（p）＝P0＋（P1−P0）＊p
g（ps）＝P0＋（P1−P0）＊ps
前記Sは、前記フィードバックグラフの前記決定された領域サイズであり；S0は、圧力値psの場合の前記フィードバックグラフの予め設定された最小領域であり；S1は、前記圧力値psの場合の前記フィードバックグラフの予め設定された最大領域であり；f（s）は、前記圧力値psの場合の前記フィードバックグラフの決定された領域サイズであり；sは、取得したタッチ領域の正規化値であって、
【数３】
2017502384.tif 000034
であり、ここで、Sinは、前記取得したタッチ領域であり、Sminは、予め設定された最小タッチ領域であり、Smaxは、予め設定された最大タッチ領域であり；T（s）は、補間関数であり；P0は、圧力変動振幅の予め設定された最小値であり；P1は、前記圧力変動振幅の予め設定された最大値であり；g（p）は、前記圧力変動振幅の関数であり；pは、取得したタッチ圧力の正規化値であって、
【数４】
2017502384.tif 000035
であり、ここで、Pinは、前記取得したタッチ圧力であり、Pminは、予め設定された最小タッチ圧力であり、Pmaxは、予め設定された最大タッチ圧力である、
請求項1に記載の方法。
【請求項５】
前記タッチ情報がタッチ領域およびタッチ圧力である場合、前記タッチ情報に応じてフィードバックグラフの領域サイズを決定する前記ステップは：
S＝g（p）＊f（s）／g（sp）に従って前記フィードバックグラフの前記領域サイズを決定するステップを含み、ここで：
g（p）＝S0＋（S1−S0）＊T（p）
f（s）＝F0＋（F1−F0）＊s
f（sp）＝F0＋（F1−F0）＊sp
前記Sは、前記フィードバックグラフの前記決定された領域サイズであり；S0は、領域パラメータspの場合の前記フィードバックグラフの予め設定された最小領域であり；S1は、前記領域パラメータspの場合の前記フィードバックグラフの予め設定された最大領域であり；pは、取得したタッチ圧力の正規化値であって、
【数５】
2017502384.tif 000036
であり、ここで、Pinは、前記取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、前記領域変動振幅の予め設定された最大値であり；f（s）は、前記領域変動振幅の関数であり；sは、取得したタッチ圧力の正規化値であって、
【数６】
2017502384.tif 000037
であり、ここで、Sinは、前記取得したタッチ領域であり、Sminは、予め設定された最小タッチ領域であり、Smaxは、予め設定された最大タッチ領域である、
請求項1に記載の方法。
【請求項６】
タッチ選択のための視覚的フィードバック装置であって：
タッチ情報およびタッチの中心点を取得するように構成された取得モジュールであって、前記タッチ情報は、タッチ領域および／またはタッチ圧力である、取得モジュールと；
前記タッチ情報に応じてフィードバックグラフの領域サイズを決定するように構成された処理モジュールと；
ユーザがタッチ位置を決定するために、中央の前記タッチの中心点タッチの中心点を使用して、前記フィードバックイメージの領域サイズに応じて、前記フィードバックグラフを表示するように構成された表示モジュールと
を含む、装置。
【請求項７】
前記タッチ情報がタッチ領域である場合、前記処理モジュールは、S＝S0＋（S1−S0）×T（s）に従って前記フィードバックグラフの前記領域サイズを決定するように特に構成され、ここで：
前記Sは、前記フィードバックグラフの前記決定された領域サイズであり；S0は、前記フィードバックグラフの予め設定された最小領域であり；S1は、前記フィードバックグラフの予め設定された最大領域であり；T（s）は、補間関数であり；sは、取得したタッチ領域の正規化値であって、
【数７】
2017502384.tif 000038
であり、ここで、Sinは、前記取得したタッチ領域であり、Sminは、予め設定された最小タッチ領域であり、Smaxは、予め設定された最大タッチ領域である、
請求項6に記載の装置。
【請求項８】
前記タッチ情報がタッチ圧力である場合、前記処理モジュールは、S＝S0＋（S1−S0）×T（p）に従って前記フィードバックグラフの前記領域サイズを決定するように特に構成され、ここで：
前記Sは、前記フィードバックグラフの前記決定された領域サイズであり；S0は、前記フィードバックグラフの予め設定された最小領域であり；S1は、前記フィードバックグラフの予め設定された最大領域であり；T（p）は、補間関数であり；pは、取得したタッチ圧力の正規化値であって、
【数８】
2017502384.tif 000039
であり、ここで、Pinは、前記取得したタッチ圧力であり、Pminは、予め設定された最小タッチ圧力であり、Pmaxは、予め設定された最大タッチ圧力である、
請求項6に記載の装置。
【請求項９】
前記タッチ情報がタッチ領域およびタッチ圧力である場合、前記処理モジュールは、S＝f（s）＊g（p）／g（ps）に従って前記フィードバックグラフの前記領域サイズを決定するように特に構成され、
ここで：
f（s）＝S0＋（S1−S0）＊T（s）
g（p）＝P0＋（P1−P0）＊p
g（ps）＝P0＋（P1−P0）＊ps
前記Sは、前記フィードバックグラフの前記決定された領域サイズであり；S0は、圧力値psの場合の前記フィードバックグラフの予め設定された最小領域であり；S1は、前記圧力値psの場合の前記フィードバックグラフの予め設定された最大領域であり；f（s）は、前記圧力値psの場合の前記フィードバックグラフの決定された領域サイズであり；sは、取得したタッチ領域の正規化値であって、
【数９】
2017502384.tif 000040
であり、ここで、Sinは、前記取得したタッチ領域であり、Sminは、予め設定された最小タッチ領域であり、Smaxは、予め設定された最大タッチ領域であり；T（s）は、補間関数であり；P0は、圧力変動振幅の予め設定された最小値であり；P1は、前記圧力変動振幅の予め設定された最大値であり；g（p）は、前記圧力変動振幅の関数であり；pは、取得したタッチ圧力の正規化値であって、
【数１０】
2017502384.tif 000041
であり、ここで、Pinは、前記取得したタッチ圧力であり、Pminは、予め設定された最小タッチ圧力であり、Pmaxは、予め設定された最大タッチ圧力である、
請求項6に記載の装置。
【請求項１０】
前記タッチ情報がタッチ領域およびタッチ圧力である場合、前記処理モジュールは、S＝g（p）＊f（s）／g（sp）に従って前記フィードバックグラフの前記領域サイズを決定するように特に構成され、ここで：
g（p）＝S0＋（S1−S0）＊T（p）
f（s）＝F0＋（F1−F0）＊s
f（sp）＝F0＋（F1−F0）＊sp
前記Sは、前記フィードバックグラフの前記決定された領域サイズであり；S0は、領域パラメータspの場合の前記フィードバックグラフの予め設定された最小領域であり；S1は、前記領域パラメータspの場合の前記フィードバックグラフの予め設定された最大領域であり；pは、前記取得したタッチ圧力の正規化値であって、
【数１１】
2017502384.tif 000042
であり、ここで、Pinは、前記取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、前記領域変動振幅の予め設定された最大値であり；f（s）は、前記領域変動振幅の関数であり；sは、取得したタッチ圧力の正規化値であって、
【数１２】
2017502384.tif 000043
であり、ここで、Sinは、前記取得したタッチ領域であり、Sminは、予め設定された最小タッチ領域であり、Smaxは、予め設定された最大タッチ領域である、
請求項6に記載の装置。
【発明の詳細な説明】
【技術分野】
【０００１】
本出願は、その全体が参照により本明細書に援用される、2013年11月21日に中国特許庁に出願された、「VISUAL FEEDBACK METHOD AND APPARATUS FOR TOUCH SELECTION」と題する中国特許出願第201310594564．8号明細書の優先権を主張するものである。
【０００２】
本発明の実施形態は、通信技術に関し、特に、タッチ選択のための視覚的フィードバック方法および装置に関する。
【背景技術】
【０００３】
タッチ画面によって提供される、簡単で、便利で、かつ自然なタッチ操作の利点と優れたヒューマンマシンインタラクションエクスペリエンスのため、タッチ画面は広く適用されている。
【０００４】
タッチ操作がタッチ画面上で実行されるときに、ユーザは、通常、タッチパネルによって検知されたタッチ位置を直感的に確認するために表示画面上のフィードバック情報を使用する必要がある。タッチ画面によって感知されたタッチ位置をユーザにフィードバックするように、例えば、タッチ画面上の点がタッチされたときに、フィードバックグラフ（例えば、強調表示された円）が、タッチ点でタッチ画面上に示される。従来技術では、フィードバックグラフのサイズが固定されている。ただし、フィードバックグラフが大きすぎるか小さすぎる場合には、フィードバックグラフは正確にタッチ位置を反映することができず、視覚的フィードバックの精度が高くない。
【発明の概要】
【０００５】
タッチ選択のための視覚的フィードバックの精度を向上させるために、本発明の実施形態は、タッチ選択のための視覚的フィードバック方法および装置を提供する。
【課題を解決するための手段】
【０００６】
本発明の実施形態の第1の態様は、タッチ選択のための視覚的フィードバック方法を提供し、この方法は：
タッチ情報およびタッチの中心点を取得するステップであって、タッチ情報は、タッチ領域および／またはタッチ圧力である、ステップと；
タッチ情報に応じてフィードバックグラフの領域サイズを決定するステップと；
ユーザがタッチ位置を決定するために、中央のタッチの中心点を使用して、フィードバックグラフの領域サイズに応じて、フィードバックグラフを表示するステップと
を含む。
【０００７】
第1の態様に関連して、第1の可能な実施方法では、タッチ情報がタッチ領域である場合、タッチ情報に応じてフィードバックグラフの領域サイズを決定するステップは：
S＝S0＋（S1−S0）×T（s）に従ってフィードバックグラフの領域サイズを決定するステップを含み、ここで：
Sは、フィードバックグラフの決定された領域サイズであり；S0は、フィードバックグラフの予め設定された最小領域であり；S1は、フィードバックグラフの予め設定された最大領域であり；T（s）は、補間関数であり；sは、取得したタッチ領域の正規化値であって、
【数１】
2017502384.tif 000003
であり、ここで、Sinは、取得したタッチ領域であり、Sminは、予め設定された最小タッチ領域であり、Smaxは、予め設定された最大タッチ領域である。
【０００８】
第1の態様に関連して、第2の可能な実施方法では、タッチ情報がタッチ圧力である場合、タッチ情報に応じてフィードバックグラフの領域サイズを決定するステップは：
S＝S0＋（S1−S0）×T（p）に従ってフィードバックグラフの領域サイズを決定するステップを含み、ここで：
Sは、フィードバックグラフの決定された領域サイズであり；S0は、フィードバックグラフの予め設定された最小領域であり；S1は、フィードバックグラフの予め設定された最大領域であり；T（p）は、補間関数であり；pは、取得したタッチ圧力の正規化値であって、
【数２】
2017502384.tif 000004
であり、ここで、Pinは、取得したタッチ圧力であり、Pminは、予め設定された最小タッチ圧力であり、Pmaxは、予め設定された最大タッチ圧力である。
【０００９】
第1の態様に関連して、第3の可能な実施方法では、タッチ情報がタッチ領域およびタッチ圧力である場合、タッチ情報に応じてフィードバックグラフの領域サイズを決定するステップは：
S＝f（s）＊g（p）／g（ps）に従ってフィードバックグラフの領域サイズを決定するステップを含み、
ここで：
f（s）＝S0＋（S1−S0）＊T（s）
g（p）＝P0＋（P1−P0）＊p
g（ps）＝P0＋（P1−P0）＊ps
Sは、フィードバックグラフの決定された領域サイズであり；S0は、圧力値psの場合のフィードバックグラフの予め設定された最小領域であり；S1は、圧力値psの場合のフィードバックグラフの予め設定された最大領域であり；f（s）は、圧力値psの場合のフィードバックグラフの決定された領域サイズであり；sは、取得したタッチ領域の正規化値であって、
【数３】
2017502384.tif 000005
であり、ここで、Sinは、取得したタッチ領域であり、Sminは、予め設定された最小タッチ領域であり、Smaxは、予め設定された最大タッチ領域であり；
【００１０】
T（s）は、補間関数であり；P0は、圧力変動振幅の予め設定された最小値であり；P1は、圧力変動振幅の予め設定された最大値であり；g（p）は、圧力変動振幅の関数であり；pは、取得したタッチ圧力の正規化値であって、
【数４】
2017502384.tif 000006
であり、ここで、Pinは、取得したタッチ圧力であり、Pminは、予め設定された最小タッチ圧力であり、Pmaxは、予め設定された最大タッチ圧力である。
【００１１】
第1の態様に関連して、第4の可能な実施方法では、タッチ情報がタッチ領域およびタッチ圧力である場合、タッチ情報に応じてフィードバックグラフの領域サイズを決定するステップは：
S＝g（p）＊f（s）／g（sp）に従ってフィードバックグラフの領域サイズを決定するステップを含み、ここで：
g（p）＝S0＋（S1−S0）＊T（p）
f（s）＝F0＋（F1−F0）＊s
f（sp）＝F0＋（F1−F0）＊sp
Sは、フィードバックグラフの決定された領域サイズであり；S0は、領域パラメータspの場合のフィードバックグラフの予め設定された最小領域であり；S1は、領域パラメータspの場合のフィードバックグラフの予め設定された最大領域であり；pは、取得したタッチ圧力の正規化値であって、
【数５】
2017502384.tif 000007
であり、ここで、Pinは、取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、領域変動振幅の予め設定された最大値であり；f（s）は、領域変動振幅の関数であり；sは、取得したタッチ圧力の正規化値であって、
【数６】
2017502384.tif 000008
であり、ここで、Sinは、取得したタッチ領域であり、Sminは、予め設定された最小タッチ領域であり、Smaxは、予め設定された最大タッチ領域である。
【００１２】
本発明の実施形態の第2の態様は、タッチ選択のための視覚的フィードバック装置を提供し、この装置は：
タッチ情報およびタッチの中心点を取得するように構成された取得モジュールであって、タッチ情報は、タッチ領域および／またはタッチ圧力である、取得モジュールと；
タッチ情報に応じてフィードバックグラフの領域サイズを決定するように構成された処理モジュールと；
ユーザがタッチ位置を決定するために、中央のタッチの中心点を使用して、フィードバックイメージの領域サイズに応じて、フィードバックグラフを表示するように構成された表示モジュールと
を含む。
【００１３】
第2の態様に関連して、第1の可能な実施方法では、タッチ情報がタッチ領域である場合、処理モジュールは、S＝S0＋（S1−S0）×T（s）に従ってフィードバックグラフの領域サイズを決定するように特に構成され、ここで：
Sは、フィードバックグラフの決定された領域サイズであり；S0は、フィードバックグラフの予め設定された最小領域であり；S1は、フィードバックグラフの予め設定された最大領域であり；T（s）は、補間関数であり；sは、取得したタッチ領域の正規化値であって、
【数７】
2017502384.tif 000009
であり、ここで、Sinは、取得したタッチ領域であり、Sminは、予め設定された最小タッチ領域であり、Smaxは、予め設定された最大タッチ領域である。
【００１４】
第2の態様に関連して、第2の可能な実施方法では、タッチ情報がタッチ圧力である場合、処理モジュールは、S＝S0＋（S1−S0）×T（p）に従ってフィードバックグラフの領域サイズを決定するように特に構成され、ここで：
Sは、フィードバックグラフの決定された領域サイズであり；S0は、フィードバックグラフの予め設定された最小領域であり；S1は、フィードバックグラフの予め設定された最大領域であり；T（p）は、補間関数であり；pは、取得したタッチ圧力の正規化値であって、
【数８】
2017502384.tif 000010
であり、ここで、Pinは、取得したタッチ圧力であり、Pminは、予め設定された最小タッチ圧力であり、Pmaxは、予め設定された最大タッチ圧力である。
【００１５】
第2の態様に関連して、第3の可能な実施方法では、タッチ情報がタッチ領域およびタッチ圧力である場合、処理モジュールはS＝f（s）＊g（p）／g（ps）に従ってフィードバックグラフの領域サイズを決定するように特に構成され、
ここで：
f（s）＝S0＋（S1−S0）＊T（s）
g（p）＝P0＋（P1−P0）＊p
g（ps）＝P0＋（P1−P0）＊ps
Sは、フィードバックグラフの決定された領域サイズであり；S0は、圧力値psの場合のフィードバックグラフの予め設定された最小領域であり；S1は、圧力値psの場合のフィードバックグラフの予め設定された最大領域であり；f（s）は、圧力値psの場合のフィードバックグラフの決定された領域サイズであり；sは、取得したタッチ領域の正規化値であって、
【数９】
2017502384.tif 000011
であり、ここで、Sinは、取得したタッチ領域であり、Sminは、予め設定された最小タッチ領域であり、Smaxは、予め設定された最大タッチ領域であり；
【００１６】
T（s）は、補間関数であり；P0は、圧力変動振幅の予め設定された最小値であり；P1は、圧力変動振幅の予め設定された最大値であり；g（p）は、圧力変動振幅の関数であり；pは、取得したタッチ圧力の正規化値であって、
【数１０】
2017502384.tif 000012
であり、ここで、Pinは、取得したタッチ圧力であり、Pminは、予め設定された最小タッチ圧力であり、Pmaxは、予め設定された最大タッチ圧力である。
【００１７】
第2の態様に関連して、第4の可能な実施方法では、タッチ情報がタッチ領域およびタッチ圧力である場合、処理モジュールはS＝g（p）＊f（s）／g（sp）に従ってフィードバックグラフの領域サイズを決定するように特に構成され、ここで：
g（p）＝S0＋（S1−S0）＊T（p）
f（s）＝F0＋（F1−F0）＊s
f（sp）＝F0＋（F1−F0）＊sp
Sは、フィードバックグラフの決定された領域サイズであり；S0は、領域パラメータspの場合のフィードバックグラフの予め設定された最小領域であり；S1は、領域パラメータspの場合のフィードバックグラフの予め設定された最大領域であり；pは、取得したタッチ圧力の正規化値であって、
【数１１】
2017502384.tif 000013
であり、ここで、Pinは、取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、領域変動振幅の予め設定された最大値であり；f（s）は、領域変動振幅の関数であり；sは、取得したタッチ圧力の正規化値であって、
【数１２】
2017502384.tif 000014
であり、ここで、Sinは、取得したタッチ領域であり、Sminは、予め設定された最小タッチ領域であり、Smaxは、予め設定された最大タッチ領域である。
【００１８】
本発明の実施形態によって提供される、タッチ選択のための視覚的フィードバック方法および装置によれば、タッチ情報およびタッチの中心点が取得され、前述のタッチ情報は、タッチ領域および／またはタッチ圧力であり；フィードバックグラフの領域サイズは前述のタッチ情報に応じて決定され；および、ユーザがタッチ位置を決定するために、中央の前述のタッチの中心点を使用して、前述のフィードバックグラフは、フィードバックグラフの領域サイズに応じて表示される。フィードバックイメージのサイズは、タッチ情報（タッチ領域および／またはタッチ圧力）に応じて決定されるため、タッチ選択のための視覚的フィードバックの精度を向上させることができる。
【００１９】
より明確に本発明の実施形態または従来技術における技術的解決策を説明するために、本実施形態または従来技術を説明するために必要な添付の図面を以下に簡単に紹介する。明らかに、以下の説明において添付の図面は、本発明のいくつかの実施形態を単に示し、当業者は、創造的な取り組みをすることなく、これらの添付図面から他の図面をさらに導き出すことが可能である。
【図面の簡単な説明】
【００２０】
【図１】本発明に係るタッチ選択のための視覚的フィードバック方法の実施形態1の概略的なフロー図である。
【図２】第1のタッチ圧力の場合のフィードバックグラフの表示効果の図である。
【図３】第2のタッチ圧力の場合のフィードバックグラフの表示効果の図である。
【図４】本発明に係るタッチ選択のための視覚的フィードバック装置の実施形態1の概略的な構成図である。
【図５】本発明に係るタッチ選択のための視覚的フィードバック装置の実施形態2の概略的な構成図である。
【発明を実施するための形態】
【００２１】
本発明の実施形態における技術的解決策を、本発明の実施形態における添付の図面を参照して、明確かつ完全に以下に説明する。明らかに、説明される実施形態は、本発明の実施形態のすべてではなく、単に一部である。創造的な取り組みをすることなく、本発明の実施形態に基づいて当業者によって得られる他のすべての実施形態は、本発明の保護範囲内に含まれるものとする。
【００２２】
本発明では、タッチ選択のための視覚的フィードバックの精度を向上させるために、フィードバックグラフのサイズは、タッチ領域および／またはタッチ圧力に関連して決定される。
【００２３】
以下に、具体的な実施形態を参照して本発明の技術的解決策を詳細に説明する：
【００２４】
図1は、本発明に係るタッチ選択のための視覚的フィードバック方法の実施形態1の概略的なフロー図である。図1に示すように、本実施形態の方法は以下のステップを含む：
【００２５】
S101．タッチ情報とタッチの中心点を取得する。
【００２６】
タッチ情報は、タッチ領域および／またはタッチ圧力である。タッチの中心点は、タッチ面の中心である。
【００２７】
S102．タッチ情報に応じてフィードバックグラフの領域サイズを決定する。
【００２８】
具体的には、第1の実施方法として、タッチ情報がタッチ領域である場合、フィードバックグラフの領域サイズを、以下の式に従って決定することができる：
S＝S0＋（S1−S0）×T（s）
【００２９】
Sは、フィードバックグラフの決定された領域サイズであり；S0は、フィードバックグラフの予め設定された最小領域であり；S1は、フィードバックグラフの予め設定された最大領域であり；sは、取得したタッチ領域の正規化値であって、
【数１３】
2017502384.tif 000015
であり、ここで、Sinは、取得したタッチ領域であり、Sminは、予め設定された最小タッチ領域であり、Smaxは、予め設定された最大タッチ領域である。T（s）は、補間関数であり、以下の（以下に限定されない）補間関数のいずれか1つを、特定の状況に応じて使用することができる：
【００３０】
第1のタイプの補間関数：T（s）＝s
【００３１】
第2のタイプの補間関数：T（s）＝si，ここで、iは整数である。好ましくは、iは、通常2、3、4、または5に設定されている。
【００３２】
第3のタイプの補間関数：T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。例えば、制御点は、P0（0，0）、P1（0．5，−0．05）、P2（0．6，1）、およびP3（1，1）である。
【００３３】
第2の実施方法として、タッチ情報がタッチ圧力である場合、フィードバックグラフの領域サイズを、以下の式に従って決定することができる：
S＝S0＋（S1−S0）×T（p）
【００３４】
Sは、フィードバックグラフの決定された領域サイズであり；S0は、フィードバックグラフの予め設定された最小領域であり；S1は、フィードバックグラフの予め設定された最大領域であり；pは、取得したタッチ圧力の正規化値であり；T（p）は補間関数であって、補間関数T（p）は、以下の関数のいずれか1つである：
T（s）＝p，または、
T（s）＝pi，ここで、iは整数であり、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００３５】
第3の実施方法として、タッチ情報がタッチ領域およびタッチ圧力である場合、フィードバックグラフの領域サイズを、以下の式に従って決定することができる：
S＝f（s）＊g（p）／g（ps）
ここで：
f（s）＝S0＋（S1−S0）＊T（s）
g（p）＝P0＋（P1−P0）＊p
g（ps）＝P0＋（P1−P0）＊ps
【００３６】
Sは、フィードバックグラフの決定された領域サイズであり；S0は、圧力値psの場合のフィードバックグラフの予め設定された最小領域であり；S1は、圧力値psの場合のフィードバックグラフの予め設定された最大領域であり；f（s）は、圧力値psの場合のフィードバックグラフの決定された領域サイズであり；sは、取得したタッチ領域の正規化値であって、
【数１４】
2017502384.tif 000016
であり、ここで、Sinは、取得したタッチ領域であり、Sminは、予め設定された最小タッチ領域であり、Smaxは、予め設定された最大タッチ領域であり；T（s）は、補間関数であり；P0は、圧力変動振幅の予め設定された最小値であり；P1は、圧力変動振幅の予め設定された最大値であり；g（p）は、圧力変動振幅の関数であり；pは、取得したタッチ圧力の正規化値であって、
【数１５】
2017502384.tif 000017
であり、ここで、Pinは、取得したタッチ圧力であり、Pminは、予め設定された最小タッチ圧力であり、Pmaxは、予め設定された最大タッチ圧力である。
【００３７】
補間関数T（s）は、以下の関数のいずれか1つである：
T（s）＝s，または、
T（s）＝si，ここで、iは整数であり、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００３８】
第4の実施方法として、タッチ情報がタッチ領域およびタッチ圧力である場合、フィードバックグラフの領域サイズを、以下の式に従って決定することができる：
S＝g（p）＊f（s）／g（sp）
ここで：
g（p）＝S0＋（S1−S0）＊T（p）
f（s）＝F0＋（F1−F0）＊s
f（sp）＝F0＋（F1−F0）＊sp
【００３９】
Sは、フィードバックグラフの決定された領域サイズであり；S0は、領域パラメータspの場合のフィードバックグラフの予め設定された最小領域であり；S1は、領域パラメータspの場合のフィードバックグラフの予め設定された最大領域であり；pは、取得したタッチ圧力の正規化値であって、
【数１６】
2017502384.tif 000018
であり、ここで、Pinは、取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、領域変動振幅の予め設定された最大値であり；f（s）は、領域変動振幅の関数であり；sは、取得したタッチ圧力の正規化値であって、
【数１７】
2017502384.tif 000019
であり、ここで、Sinは、取得したタッチ領域であり、Sminは、予め設定された最小タッチ領域であり、Smaxは、予め設定された最大タッチ領域である。
【００４０】
補間関数T（p）は、以下の関数のいずれか1つである：
T（s）＝p，または、
T（s）＝pi，ここで、iは整数であり、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００４１】
確かに、上述のいくつかの実施方法は、タッチ情報に応じてフィードバックグラフの領域サイズを決定するための単なる例であり、別の実施方法を、タッチ情報に応じてフィードバックグラフの領域サイズを決定するために使用することもでき、これは、本発明によって限定されるものではない。視覚的フィードバックの精度を向上させるために、フィードバックグラフの領域サイズが、タッチ領域および／またはタッチ圧力に関連して決定される限り、本発明の保護範囲内に含まれるものとする。
【００４２】
S103．中央の前述のタッチの中心点を使用して、前述のフィードバックイメージの領域サイズに応じて、前述のフィードバックグラフを表示する。
【００４３】
フィードバックグラフの中心点とタッチの中心点の位置は同じである。本発明では、フィードバックグラフのサイズは、タッチ情報に応じて決定され、フィードバックグラフの形態は、本発明で提示されておらず、例えば、フィードバックグラフは、強調表示されてもよく、またはフィードバックイメージは別の色で表示されるか、フィードバックグラフはハッチパターンを有し、本発明によって限定されるものではない。
【００４４】
本実施形態では、タッチ情報およびタッチの中心点が取得され、前述のタッチ情報は、タッチ領域および／またはタッチ圧力であり；フィードバックグラフの領域サイズは前述のタッチ情報に応じて決定され；および、ユーザがタッチ位置を決定するために、中央の前述のタッチの中心点を使用して、前述のフィードバックグラフは、フィードバックグラフの領域サイズに応じて表示される。フィードバックイメージのサイズは、タッチ情報（タッチ領域および／またはタッチ圧力）に応じて決定されるため、タッチ選択のための視覚的フィードバックの精度を向上させることができ、これにより、ユーザの要件を良好に満たし、ユーザエクスペリエンスを向上させる。
【００４５】
本発明の技術的解決策の理解を容易にするために、本発明は、比較のための2つの添付図面をさらに提供する。図2は、第1のタッチ圧力の場合のフィードバックグラフの表示効果の図であり、図3は、第2のタッチ圧力の場合のフィードバックグラフの表示効果の図であり、ここで、第1のタッチ圧力は第2のタッチ圧力より小さい。図2では、領域1は、従来技術における第1のタッチ圧力の場合のフィードバックグラフであり、領域2は、本発明における第1のタッチ圧力の場合のフィードバックグラフである。図3では、領域3は、従来技術における第2のタッチ圧力の場合のフィードバックグラフであり、領域4は、本発明における第2のタッチ圧力の場合のフィードバックグラフである。図2と図3を比較することによって、従来技術では、タッチ圧力の変化はフィードバックグラフのサイズに影響しないことが分かり、すなわち、領域1と領域3は同じサイズである。本発明の技術的解決策では、第1のタッチ圧力の場合のフィードバックグラフは、第2のタッチ圧力の場合のフィードバックのグラフよりも小さく、すなわち、領域2は領域4よりもサイズが小さい。つまり、本発明におけるフィードバックグラフの領域サイズは、タッチ圧力に応じて決定される。図2および図3は、圧力に応じてフィードバックグラフの領域サイズを決定する単なる例である。図2および図3から分かるように、タッチ選択のための視覚的フィードバックを、本発明の技術的解決策を用いることによって改善することができる。
【００４６】
図4は、本発明に係るタッチ選択のための視覚的フィードバック装置の実施形態1の概略的な構成図である。図4に示すように、本実施形態における装置は、取得モジュール401、処理モジュール402、および表示モジュール403を含んでいる。取得モジュール401は、タッチ情報およびタッチの中心点を取得するように構成され、ここで、タッチ情報は、タッチ領域および／またはタッチ圧力であり；処理モジュール402は、タッチ情報に応じてフィードバックグラフの領域サイズを決定するように構成され；および、表示モジュール403は、ユーザがタッチ点を決定するために、中央のタッチの中心点を使用して、フィードバックイメージの領域サイズに応じて、フィードバックグラフを表示するように構成されている。
【００４７】
本実施形態における装置を、それに応じて、図1に示す方法の実施形態における技術的解決策を実施するために使用することができる。実装の原理および装置の技術的効果は、方法の実施形態のものと同様であり、詳細はここでは再度説明されない。
【００４８】
前述の実施形態では、タッチ情報がタッチ領域である場合、処理モジュール402は、S＝S0＋（S1−S0）×T（s）に従ってフィードバックグラフの領域サイズを決定するように特に構成され、ここで：
Sは、フィードバックグラフの決定された領域サイズであり；S0は、フィードバックグラフの予め設定された最小領域であり；S1は、フィードバックグラフの予め設定された最大領域であり；T（s）は、補間関数であり；sは、取得したタッチ領域の正規化値であって、
【数１８】
2017502384.tif 000020
であり、ここで、Sinは、取得したタッチ領域であり、Sminは、予め設定された最小タッチ領域であり、Smaxは、予め設定された最大タッチ領域である。
【００４９】
前述の実施形態では、補間関数T（s）は、以下の関数のいずれか1つである：
T（s）＝s，または、
T（s）＝si，ここで、iは整数であり、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００５０】
前述の実施形態では、タッチ情報がタッチ圧力である場合、処理モジュール402は、S＝S0＋（S1−S0）×T（p）に従ってフィードバックグラフの領域サイズを決定するように特に構成され、ここで：
Sは、フィードバックグラフの決定された領域サイズであり；S0は、フィードバックグラフの予め設定された最小領域であり；S1は、フィードバックグラフの予め設定された最大領域であり；T（p）は、補間関数であり；pは、取得したタッチ圧力の正規化値であって、
【数１９】
2017502384.tif 000021
であり、ここで、Pinは、取得したタッチ圧力であり、Pminは、予め設定された最小タッチ圧力であり、Pmaxは、予め設定された最大タッチ圧力である。
【００５１】
前述の実施形態では、補間関数T（p）は、以下の関数のいずれか1つである：
T（s）＝p，または、
T（s）＝pi，ここで、iは整数であり、または、
【００５２】
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００５３】
前述の実施形態では、タッチ情報がタッチ領域およびタッチ圧力である場合、処理モジュール402は、S＝f（s）＊g（p）／g（ps）に従ってフィードバックグラフの領域サイズを決定するように特に構成され、
ここで：
f（s）＝S0＋（S1−S0）＊T（s）
g（p）＝P0＋（P1−P0）＊p
g（ps）＝P0＋（P1−P0）＊ps
Sは、フィードバックグラフの決定された領域サイズであり；S0は、圧力値psの場合のフィードバックグラフの予め設定された最小領域であり；S1は、圧力値psの場合のフィードバックグラフの予め設定された最大領域であり；f（s）は、圧力値psの場合のフィードバックグラフの決定された領域サイズであり；sは、取得したタッチ領域の正規化値であって、
【数２０】
2017502384.tif 000022
であり、ここで、Sinは、取得したタッチ領域であり、Sminは、予め設定された最小タッチ領域であり、Smaxは、予め設定された最大タッチ領域であり；T（s）は、補間関数であり；P0は、圧力変動振幅の予め設定された最小値であり；P1は、圧力変動振幅の予め設定された最大値であり；g（p）は、圧力変動振幅の関数であり；pは、取得したタッチ圧力の正規化値であって、
【数２１】
2017502384.tif 000023
であり、ここで、Pinは、取得したタッチ圧力であり、Pminは、予め設定された最小タッチ圧力であり、Pmaxは、予め設定された最大タッチ圧力である。
【００５４】
前述の実施形態では、補間関数T（s）は、以下の関数のいずれか1つである：
T（s）＝s，または、
T（s）＝si，ここで、iは整数であり、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００５５】
前述の実施形態では、タッチ情報がタッチ領域およびタッチ圧力である場合、処理モジュール402は、S＝g（p）＊f（s）／g（sp）に従ってフィードバックグラフの領域サイズを決定するように特に構成され、ここで：
g（p）＝S0＋（S1−S0）＊T（p）
f（s）＝F0＋（F1−F0）＊s
f（sp）＝F0＋（F1−F0）＊sp
Sは、フィードバックグラフの決定された領域サイズであり；S0は、領域パラメータspの場合のフィードバックグラフの予め設定された最小領域であり；S1は、領域パラメータspの場合のフィードバックグラフの予め設定された最大領域であり；pは、取得したタッチ圧力の正規化値であって、
【数２２】
2017502384.tif 000024
であり、ここで、Pinは、取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、領域変動振幅の予め設定された最大値であり；f（s）は、領域変動振幅の関数であり；sは、取得したタッチ圧力の正規化値であって、
【数２３】
2017502384.tif 000025
であり、ここで、Sinは、取得したタッチ領域であり、Sminは、予め設定された最小タッチ領域であり、Smaxは、予め設定された最大タッチ領域である。
【００５６】
前述の実施形態では、補間関数T（p）は、以下の関数のいずれか1つである：
T（s）＝p，または、
T（s）＝pi，ここで、iは整数であり、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００５７】
図5は、本発明に係るタッチ選択のための視覚的フィードバック装置の実施形態2の概略的な構成図である。図5に示すように、本実施形態における装置は、取得部501、処理部502、および表示部503を含んでいる。取得部501は、タッチ情報およびタッチの中心点を取得するように構成され、ここで、タッチ情報は、タッチ領域および／またはタッチ圧力であり；処理部502は、タッチ情報に応じてフィードバックグラフの領域サイズを決定するように構成され；および、表示部503は、ユーザがタッチ点を決定するために、中央のタッチの中心点を使用して、フィードバックイメージの領域サイズに応じて、フィードバックグラフを表示するように構成されている。
【００５８】
本実施形態における装置を、それに応じて、図1に示す方法の実施形態における技術的解決策を実施するために使用することができる。実装の原理および装置の技術的効果は、方法の実施形態のものと同様であり、詳細はここでは再度説明されない。
【００５９】
前述の実施形態では、タッチ情報がタッチ領域である場合、処理部502は、S＝S0＋（S1−S0）×T（s）に従ってフィードバックグラフの領域サイズを決定するように特に構成され、ここで：
Sは、フィードバックグラフの決定された領域サイズであり；S0は、フィードバックグラフの予め設定された最小領域であり；S1は、フィードバックグラフの予め設定された最大領域であり；T（s）は、補間関数であり；sは、取得したタッチ領域の正規化値であって、
【数２４】
2017502384.tif 000026
であり、ここで、Sinは、取得したタッチ領域であり、Sminは、予め設定された最小タッチ領域であり、Smaxは、予め設定された最大タッチ領域である。
【００６０】
前述の実施形態では、補間関数T（s）は、以下の関数のいずれか1つである：
T（s）＝s，または、
T（s）＝si，ここで、iは整数であり、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００６１】
前述の実施形態では、タッチ情報がタッチ圧力である場合、処理部502は、S＝S0＋（S1−S0）×T（p）に従ってフィードバックグラフの領域サイズを決定するように特に構成され、ここで：
Sは、フィードバックグラフの決定された領域サイズであり；S0は、フィードバックグラフの予め設定された最小領域であり；S1は、フィードバックグラフの予め設定された最大領域であり；T（p）は、補間関数であり；pは、取得したタッチ圧力の正規化値であって、
【数２５】
2017502384.tif 000027
であり、ここで、Pinは、取得したタッチ圧力であり、Pminは、予め設定された最小タッチ圧力であり、Pmaxは、予め設定された最大タッチ圧力である。
【００６２】
前述の実施形態では、補間関数T（p）は、以下の関数のいずれか1つである：
T（s）＝p，または、
T（s）＝pi，ここで、iは整数であり、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００６３】
前述の実施形態では、タッチ情報がタッチ領域およびタッチ圧力である場合、処理部502は、S＝f（s）＊g（p）／g（ps）に従ってフィードバックグラフの領域サイズを決定するように特に構成され、
ここで：
f（s）＝S0＋（S1−S0）＊T（s）
g（p）＝P0＋（P1−P0）＊p
g（ps）＝P0＋（P1−P0）＊ps
Sは、フィードバックグラフの決定された領域サイズであり；S0は、圧力値psの場合のフィードバックグラフの予め設定された最小領域であり；S1は、圧力値psの場合のフィードバックグラフの予め設定された最大領域であり；f（s）は、圧力値psの場合のフィードバックグラフの決定された領域サイズであり；sは、取得したタッチ領域の正規化値であって、
【数２６】
2017502384.tif 000028
であり、ここで、Sinは、取得したタッチ領域であり、Sminは、予め設定された最小タッチ領域であり、Smaxは、予め設定された最大タッチ領域であり；T（s）は、補間関数であり；P0は、圧力変動振幅の予め設定された最小値であり；P1は、圧力変動振幅の予め設定された最大値であり；g（p）は、圧力変動振幅の関数であり；pは、取得したタッチ圧力の正規化値であって、
【数２７】
2017502384.tif 000029
であり、ここで、Pinは、取得したタッチ圧力であり、Pminは、予め設定された最小タッチ圧力であり、Pmaxは、予め設定された最大タッチ圧力である。
【００６４】
前述の実施形態では、補間関数T（s）は、以下の関数のいずれか1つである：
T（s）＝s，または、
T（s）＝si，ここで、iは整数であり、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００６５】
前述の実施形態では、タッチ情報がタッチ領域およびタッチ圧力である場合、処理部502は、S＝g（p）＊f（s）／g（sp）に従ってフィードバックグラフの領域サイズを決定するように特に構成され、ここで：
g（p）＝S0＋（S1−S0）＊T（p）
f（s）＝F0＋（F1−F0）＊s
f（sp）＝F0＋（F1−F0）＊sp
Sは、フィードバックグラフの決定された領域サイズであり；S0は、領域パラメータspの場合のフィードバックグラフの予め設定された最小領域であり；S1は、領域パラメータspの場合のフィードバックグラフの予め設定された最大領域であり；pは、取得したタッチ圧力の正規化値であって、
【数２８】
2017502384.tif 000030
であり、ここで、Pinは、取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、領域変動振幅の予め設定された最大値であり；f（s）は、領域変動振幅の関数であり；sは、取得したタッチ圧力の正規化値であって、
【数２９】
2017502384.tif 000031
であり、ここで、Sinは、取得したタッチ領域であり、Sminは、予め設定された最小タッチ領域であり、Smaxは、予め設定された最大タッチ領域である。
【００６６】
前述の実施形態では、補間関数T（p）は、以下の関数のいずれか1つである：
T（s）＝p，または、
T（s）＝pi，ここで、iは整数であり、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【００６７】
当業者は、方法の実施形態のステップのすべてまたは一部が、関連するハードウェアを指示するプログラムにより実現され得ることを理解することができる。プログラムは、コンピュータ読み取り可能な記憶媒体に格納されてもよい。プログラムが実行されると、方法の実施形態のステップが実行される。前述の記憶媒体は、ROM、RAM、磁気ディスク、または光ディスクのようなプログラムコードを格納することができる任意の媒体を含む。
【００６８】
最後に、前述の実施形態は、本発明を制限するものではなく、本発明の技術的解決策を説明するためのものにすぎないことに留意すべきである。前述の実施形態に関連して本発明を詳細に説明したが、当業者は、本発明の実施形態の技術的解決策の範囲から逸脱することなく、前述の実施形態で説明した技術的解決策にさらなる変更を加えるか、一部またはすべてのその技術的特徴に同等の置換を行うことができることを理解すべきである。
【符号の説明】
【００６９】
1  領域
2  領域
3  領域
4  領域
401  取得モジュール
402  処理モジュール
403  表示モジュール
501  取得部
502  処理部
503  表示部
【図１】
2017502384.tif 000044
【図４】
2017502384.tif 000045
【図５】
2017502384.tif 000046
【図２】
2017502384.tif 000047
【図３】
2017502384.tif 000048
【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
タッチ選択のための視覚的フィードバック方法であって：
タッチ情報およびタッチの中心点を取得するステップであって、前記タッチ情報は、タッチ領域および／またはタッチ圧力である、ステップと；
前記タッチ情報に応じてフィードバックグラフの領域サイズを決定するステップと；
ユーザがタッチ位置を決定するために、中央の前記タッチの中心点タッチの中心点を使用して、前記フィードバックグラフの前記領域サイズに応じて、前記フィードバックグラフを表示するステップと
を含む、方法。
【請求項２】
前記タッチ情報がタッチ領域である場合、前記タッチ情報に応じてフィードバックグラフの領域サイズを決定する前記ステップは：
S＝S0＋（S1−S0）×T（s）に従って前記フィードバックグラフの前記領域サイズを決定するステップを含み、ここで：
Sは、前記フィードバックグラフの前記決定された領域サイズであり；S0は、前記フィードバックグラフの予め設定された最小領域であり；S1は、前記フィードバックグラフの予め設定された最大領域であり；T（s）は、補間関数であり；sは、取得したタッチ領域の正規化値であって、
【数１】
2017502384.tif 000049
であり、ここで、Sinは、前記取得したタッチ領域であり、Sminは、予め設定された最小タッチ領域であり、Smaxは、予め設定された最大タッチ領域である、
請求項1に記載の方法。
【請求項３】
前記タッチ情報がタッチ圧力である場合、前記タッチ情報に応じてフィードバックグラフの領域サイズを決定する前記ステップは：
S＝S0＋（S1−S0）×T（p）に従って前記フィードバックグラフの前記領域サイズを決定するステップを含み、ここで：
Sは、前記フィードバックグラフの前記決定された領域サイズであり；S0は、前記フィードバックグラフの予め設定された最小領域であり；S1は、前記フィードバックグラフの予め設定された最大領域であり；T（p）は、補間関数であり；pは、取得したタッチ圧力の正規化値であって、
【数２】
2017502384.tif 000050
であり、ここで、Pinは、前記取得したタッチ圧力であり、Pminは、予め設定された最小タッチ圧力であり、Pmaxは、予め設定された最大タッチ圧力である、
請求項1に記載の方法。
【請求項４】
前記タッチ情報がタッチ領域およびタッチ圧力である場合、前記タッチ情報に応じてフィードバックグラフの領域サイズを決定する前記ステップは：
S＝f（s）＊g（p）／g（ps）に従って前記フィードバックグラフの前記領域サイズを決定するステップを含み、
ここで：
f（s）＝S0＋（S1−S0）＊T（s）
g（p）＝P0＋（P1−P0）＊p
g（ps）＝P0＋（P1−P0）＊ps
Sは、前記フィードバックグラフの前記決定された領域サイズであり；S0は、圧力値psの場合の前記フィードバックグラフの予め設定された最小領域であり；S1は、前記圧力値psの場合の前記フィードバックグラフの予め設定された最大領域であり；f（s）は、前記圧力値psの場合の前記フィードバックグラフの決定された領域サイズであり；sは、取得したタッチ領域の正規化値であって、
【数３】
2017502384.tif 000051
であり、ここで、Sinは、前記取得したタッチ領域であり、Sminは、予め設定された最小タッチ領域であり、Smaxは、予め設定された最大タッチ領域であり；T（s）は、補間関数であり；P0は、圧力変動振幅の予め設定された最小値であり；P1は、前記圧力変動振幅の予め設定された最大値であり；g（p）は、前記圧力変動振幅の関数であり；pは、取得したタッチ圧力の正規化値であって、
【数４】
2017502384.tif 000052
であり、ここで、Pinは、前記取得したタッチ圧力であり、Pminは、予め設定された最小タッチ圧力であり、Pmaxは、予め設定された最大タッチ圧力である、
請求項1に記載の方法。
【請求項５】
前記タッチ情報がタッチ領域およびタッチ圧力である場合、前記タッチ情報に応じてフィードバックグラフの領域サイズを決定する前記ステップは：
S＝g（p）＊f（s）／g（sp）に従って前記フィードバックグラフの前記領域サイズを決定するステップを含み、ここで：
g（p）＝S0＋（S1−S0）＊T（p）
f（s）＝F0＋（F1−F0）＊s
f（sp）＝F0＋（F1−F0）＊sp
Sは、前記フィードバックグラフの前記決定された領域サイズであり；S0は、領域パラメータspの場合の前記フィードバックグラフの予め設定された最小領域であり；S1は、前記領域パラメータspの場合の前記フィードバックグラフの予め設定された最大領域であり；pは、取得したタッチ圧力の正規化値であって、
【数５】
2017502384.tif 000053
であり、ここで、Pinは、前記取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、前記領域変動振幅の予め設定された最大値であり；f（s）は、前記領域変動振幅の関数であり；sは、取得したタッチ領域の正規化値であって、
【数６】
2017502384.tif 000054
であり、ここで、Sinは、前記取得したタッチ領域であり、Sminは、予め設定された最小タッチ領域であり、Smaxは、予め設定された最大タッチ領域である、
請求項1に記載の方法。
【請求項６】
タッチ選択のための視覚的フィードバック装置であって：
タッチ情報およびタッチの中心点を取得するように構成された取得モジュールであって、前記タッチ情報は、タッチ領域および／またはタッチ圧力である、取得モジュールと；
前記タッチ情報に応じてフィードバックグラフの領域サイズを決定するように構成された処理モジュールと；
ユーザがタッチ位置を決定するために、中央の前記タッチの中心点タッチの中心点を使用して、前記フィードバックグラフの前記領域サイズに応じて、前記フィードバックグラフを表示するように構成された表示モジュールと
を含む、装置。
【請求項７】
前記タッチ情報がタッチ領域である場合、前記処理モジュールは、S＝S0＋（S1−S0）×T（s）に従って前記フィードバックグラフの前記領域サイズを決定するように特に構成され、ここで：
Sは、前記フィードバックグラフの前記決定された領域サイズであり；S0は、前記フィードバックグラフの予め設定された最小領域であり；S1は、前記フィードバックグラフの予め設定された最大領域であり；T（s）は、補間関数であり；sは、取得したタッチ領域の正規化値であって、
【数７】
2017502384.tif 000055
であり、ここで、Sinは、前記取得したタッチ領域であり、Sminは、予め設定された最小タッチ領域であり、Smaxは、予め設定された最大タッチ領域である、
請求項6に記載の装置。
【請求項８】
前記タッチ情報がタッチ圧力である場合、前記処理モジュールは、S＝S0＋（S1−S0）×T（p）に従って前記フィードバックグラフの前記領域サイズを決定するように特に構成され、ここで：
Sは、前記フィードバックグラフの前記決定された領域サイズであり；S0は、前記フィードバックグラフの予め設定された最小領域であり；S1は、前記フィードバックグラフの予め設定された最大領域であり；T（p）は、補間関数であり；pは、取得したタッチ圧力の正規化値であって、
【数８】
2017502384.tif 000056
であり、ここで、Pinは、前記取得したタッチ圧力であり、Pminは、予め設定された最小タッチ圧力であり、Pmaxは、予め設定された最大タッチ圧力である、
請求項6に記載の装置。
【請求項９】
前記タッチ情報がタッチ領域およびタッチ圧力である場合、前記処理モジュールは、S＝f（s）＊g（p）／g（ps）に従って前記フィードバックグラフの前記領域サイズを決定するように特に構成され、
ここで：
f（s）＝S0＋（S1−S0）＊T（s）
g（p）＝P0＋（P1−P0）＊p
g（ps）＝P0＋（P1−P0）＊ps
Sは、前記フィードバックグラフの前記決定された領域サイズであり；S0は、圧力値psの場合の前記フィードバックグラフの予め設定された最小領域であり；S1は、前記圧力値psの場合の前記フィードバックグラフの予め設定された最大領域であり；f（s）は、前記圧力値psの場合の前記フィードバックグラフの決定された領域サイズであり；sは、取得したタッチ領域の正規化値であって、
【数９】
2017502384.tif 000057
であり、ここで、Sinは、前記取得したタッチ領域であり、Sminは、予め設定された最小タッチ領域であり、Smaxは、予め設定された最大タッチ領域であり；T（s）は、補間関数であり；P0は、圧力変動振幅の予め設定された最小値であり；P1は、前記圧力変動振幅の予め設定された最大値であり；g（p）は、前記圧力変動振幅の関数であり；pは、取得したタッチ圧力の正規化値であって、
【数１０】
2017502384.tif 000058
であり、ここで、Pinは、前記取得したタッチ圧力であり、Pminは、予め設定された最小タッチ圧力であり、Pmaxは、予め設定された最大タッチ圧力である、
請求項6に記載の装置。
【請求項１０】
前記タッチ情報がタッチ領域およびタッチ圧力である場合、前記処理モジュールは、S＝g（p）＊f（s）／g（sp）に従って前記フィードバックグラフの前記領域サイズを決定するように特に構成され、ここで：
g（p）＝S0＋（S1−S0）＊T（p）
f（s）＝F0＋（F1−F0）＊s
f（sp）＝F0＋（F1−F0）＊sp
Sは、前記フィードバックグラフの前記決定された領域サイズであり；S0は、領域パラメータspの場合の前記フィードバックグラフの予め設定された最小領域であり；S1は、前記領域パラメータspの場合の前記フィードバックグラフの予め設定された最大領域であり；pは、前記取得したタッチ圧力の正規化値であって、
【数１１】
2017502384.tif 000059
であり、ここで、Pinは、前記取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、前記領域変動振幅の予め設定された最大値であり；f（s）は、前記領域変動振幅の関数であり；sは、取得したタッチ領域の正規化値であって、
【数１２】
2017502384.tif 000060
であり、ここで、Sinは、前記取得したタッチ領域であり、Sminは、予め設定された最小タッチ領域であり、Smaxは、予め設定された最大タッチ領域である、
請求項6に記載の装置。
【手続補正２】
【補正対象書類名】明細書
【補正対象項目名】００２８
【補正方法】変更
【補正の内容】
【００２８】
具体的には、第1の実施方法では、タッチ情報がタッチ領域である場合、フィードバックグラフの領域サイズを、以下の式に従って決定することができる：
S＝S0＋（S1−S0）×T（s）
【手続補正３】
【補正対象書類名】明細書
【補正対象項目名】００３１
【補正方法】変更
【補正の内容】
【００３１】
第2のタイプの補間関数：T（s）＝si，ここで、iは、通常2、3、4、または5に設定されている。
【手続補正４】
【補正対象書類名】明細書
【補正対象項目名】００３３
【補正方法】変更
【補正の内容】
【００３３】
第2の実施方法では、タッチ情報がタッチ圧力である場合、フィードバックグラフの領域サイズを、以下の式に従って決定することができる：
S＝S0＋（S1−S0）×T（p）
【手続補正５】
【補正対象書類名】明細書
【補正対象項目名】００３４
【補正方法】変更
【補正の内容】
【００３４】
Sは、フィードバックグラフの決定された領域サイズであり；S0は、フィードバックグラフの予め設定された最小領域であり；S1は、フィードバックグラフの予め設定された最大領域であり；pは、取得したタッチ圧力の正規化値であり；T（p）は補間関数であって、補間関数T（p）は、以下の関数のいずれか1つである：
T（p）＝p，または、
T（p）＝pi，ここで、iは通常、2、3、4、または5に設定され、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【手続補正６】
【補正対象書類名】明細書
【補正対象項目名】００３５
【補正方法】変更
【補正の内容】
【００３５】
第3の実施方法では、タッチ情報がタッチ領域およびタッチ圧力である場合、フィードバックグラフの領域サイズを、以下の式に従って決定することができる：
S＝f（s）＊g（p）／g（ps）
ここで：
f（s）＝S0＋（S1−S0）＊T（s）
g（p）＝P0＋（P1−P0）＊p
g（ps）＝P0＋（P1−P0）＊ps
【手続補正７】
【補正対象書類名】明細書
【補正対象項目名】００３７
【補正方法】変更
【補正の内容】
【００３７】
補間関数T（s）は、以下の関数のいずれか1つである：
T（s）＝s，または、
T（s）＝si，ここで、iは通常、2、3、4、または5に設定され、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【手続補正８】
【補正対象書類名】明細書
【補正対象項目名】００３８
【補正方法】変更
【補正の内容】
【００３８】
第4の実施方法では、タッチ情報がタッチ領域およびタッチ圧力である場合、フィードバックグラフの領域サイズを、以下の式に従って決定することができる：
S＝g（p）＊f（s）／g（sp）
ここで：
g（p）＝S0＋（S1−S0）＊T（p）
f（s）＝F0＋（F1−F0）＊s
f（sp）＝F0＋（F1−F0）＊sp
【手続補正９】
【補正対象書類名】明細書
【補正対象項目名】００３９
【補正方法】変更
【補正の内容】
【００３９】
Sは、フィードバックグラフの決定された領域サイズであり；S0は、領域パラメータspの場合のフィードバックグラフの予め設定された最小領域であり；S1は、領域パラメータspの場合のフィードバックグラフの予め設定された最大領域であり；pは、取得したタッチ圧力の正規化値であって、
【数１】
2017502384.tif 000061
であり、ここで、Pinは、取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、領域変動振幅の予め設定された最大値であり；f（s）は、領域変動振幅の関数であり；sは、取得したタッチ領域の正規化値であって、
【数２】
2017502384.tif 000062
であり、ここで、Sinは、取得したタッチ領域であり、Sminは、予め設定された最小タッチ領域であり、Smaxは、予め設定された最大タッチ領域である。
【手続補正１０】
【補正対象書類名】明細書
【補正対象項目名】００４０
【補正方法】変更
【補正の内容】
【００４０】
補間関数T（p）は、以下の関数のいずれか1つである：
T（p）＝p，または、
T（p）＝pi，ここで、iは通常、2、3、4、または5に設定され、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【手続補正１１】
【補正対象書類名】明細書
【補正対象項目名】００４１
【補正方法】変更
【補正の内容】
【００４１】
確かに、上述のいくつかの実施方法は、タッチ情報に応じてフィードバックグラフの領域サイズを決定するための単なる例であり、別の実施方法を、タッチ情報に応じてフィードバックグラフの領域サイズを決定するために使用することもでき、これは、本発明によって限定されるものではない。視覚的フィードバックの精度を向上させるために、タッチ領域および／またはタッチ圧力に関連してフィードバックグラフの領域サイズを決定する任意の実施方法は、本発明の保護範囲内に含まれるものとする。
【手続補正１２】
【補正対象書類名】明細書
【補正対象項目名】００４２
【補正方法】変更
【補正の内容】
【００４２】
S103．中央の前述のタッチの中心点を使用して、前述のフィードバックグラフの領域サイズに応じて、前述のフィードバックグラフを表示する。
【手続補正１３】
【補正対象書類名】明細書
【補正対象項目名】００４３
【補正方法】変更
【補正の内容】
【００４３】
フィードバックグラフの中心点とタッチの中心点の位置は同じである。本発明では、フィードバックグラフのサイズは、タッチ情報に応じて決定され、フィードバックグラフの形態は、本発明で提示されておらず、例えば、フィードバックグラフは、強調表示されてもよく、またはフィードバックグラフは別の色で表示されるか、フィードバックグラフはハッチパターンを有し、本発明によって限定されるものではない。
【手続補正１４】
【補正対象書類名】明細書
【補正対象項目名】００４４
【補正方法】変更
【補正の内容】
【００４４】
本実施形態では、タッチ情報およびタッチの中心点が取得され、前述のタッチ情報は、タッチ領域および／またはタッチ圧力であり；フィードバックグラフの領域サイズは前述のタッチ情報に応じて決定され；および、ユーザがタッチ位置を決定するために、中央の前述のタッチの中心点を使用して、前述のフィードバックグラフは、フィードバックグラフの領域サイズに応じて表示される。フィードバックグラフのサイズは、タッチ情報（タッチ領域および／またはタッチ圧力）に応じて決定されるため、タッチ選択のための視覚的フィードバックの精度を向上させることができ、これにより、ユーザの要件を良好に満たし、ユーザエクスペリエンスを向上させる。
【手続補正１５】
【補正対象書類名】明細書
【補正対象項目名】００４６
【補正方法】変更
【補正の内容】
【００４６】
図4は、本発明に係るタッチ選択のための視覚的フィードバック装置の実施形態1の概略的な構成図である。図4に示すように、本実施形態における装置は、取得モジュール401、処理モジュール402、および表示モジュール403を含んでいる。取得モジュール401は、タッチ情報およびタッチの中心点を取得するように構成され、ここで、タッチ情報は、タッチ領域および／またはタッチ圧力であり；処理モジュール402は、タッチ情報に応じてフィードバックグラフの領域サイズを決定するように構成され；および、表示モジュール403は、ユーザがタッチ点を決定するために、中央のタッチの中心点を使用して、フィードバックグラフの領域サイズに応じて、フィードバックグラフを表示するように構成されている。
【手続補正１６】
【補正対象書類名】明細書
【補正対象項目名】００４９
【補正方法】変更
【補正の内容】
【００４９】
前述の実施形態では、補間関数T（s）は、以下の関数のいずれか1つである：
T（s）＝s，または、
T（s）＝si，ここで、iは通常、2、3、4、または5に設定され、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【手続補正１７】
【補正対象書類名】明細書
【補正対象項目名】００５１
【補正方法】変更
【補正の内容】
【００５１】
前述の実施形態では、補間関数T（p）は、以下の関数のいずれか1つである：
T（p）＝p、または、
T（p）＝pi、ここで、iは通常、2、3、4、または5に設定され、または、
【手続補正１８】
【補正対象書類名】明細書
【補正対象項目名】００５４
【補正方法】変更
【補正の内容】
【００５４】
前述の実施形態では、補間関数T（s）は、以下の関数のいずれか1つである：
T（s）＝s，または、
T（s）＝si，ここで、iは通常、2、3、4、または5に設定され、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【手続補正１９】
【補正対象書類名】明細書
【補正対象項目名】００５５
【補正方法】変更
【補正の内容】
【００５５】
前述の実施形態では、タッチ情報がタッチ領域およびタッチ圧力である場合、処理モジュール402は、S＝g（p）＊f（s）／g（sp）に従ってフィードバックグラフの領域サイズを決定するように特に構成され、ここで：
g（p）＝S0＋（S1−S0）＊T（p）
f（s）＝F0＋（F1−F0）＊s
f（sp）＝F0＋（F1−F0）＊sp
Sは、フィードバックグラフの決定された領域サイズであり；S0は、領域パラメータspの場合のフィードバックグラフの予め設定された最小領域であり；S1は、領域パラメータspの場合のフィードバックグラフの予め設定された最大領域であり；pは、取得したタッチ圧力の正規化値であって、
【数３】
2017502384.tif 000063
であり、ここで、Pinは、取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、領域変動振幅の予め設定された最大値であり；f（s）は、領域変動振幅の関数であり；sは、取得したタッチ領域の正規化値であって、
【数４】
2017502384.tif 000064
であり、ここで、Sinは、取得したタッチ領域であり、Sminは、予め設定された最小タッチ領域であり、Smaxは、予め設定された最大タッチ領域である。
【手続補正２０】
【補正対象書類名】明細書
【補正対象項目名】００５６
【補正方法】変更
【補正の内容】
【００５６】
前述の実施形態では、補間関数T（p）は、以下の関数のいずれか1つである：
T（p）＝p，または、
T（p）＝pi，ここで、iは通常、2、3、4、または5に設定され、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【手続補正２１】
【補正対象書類名】明細書
【補正対象項目名】００５７
【補正方法】変更
【補正の内容】
【００５７】
図5は、本発明に係るタッチ選択のための視覚的フィードバック装置の実施形態2の概略的な構成図である。図5に示すように、本実施形態における装置は、取得部501、処理部502、および表示部503を含んでいる。取得部501は、タッチ情報およびタッチの中心点を取得するように構成され、ここで、タッチ情報は、タッチ領域および／またはタッチ圧力であり；処理部502は、タッチ情報に応じてフィードバックグラフの領域サイズを決定するように構成され；および、表示部503は、ユーザがタッチ点を決定するために、中央のタッチの中心点を使用して、フィードバックグラフの領域サイズに応じて、フィードバックグラフを表示するように構成されている。
【手続補正２２】
【補正対象書類名】明細書
【補正対象項目名】００６０
【補正方法】変更
【補正の内容】
【００６０】
前述の実施形態では、補間関数T（s）は、以下の関数のいずれか1つである：
T（s）＝s，または、
T（s）＝si，ここで、iは通常、2、3、4、または5に設定され、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【手続補正２３】
【補正対象書類名】明細書
【補正対象項目名】００６２
【補正方法】変更
【補正の内容】
【００６２】
前述の実施形態では、補間関数T（p）は、以下の関数のいずれか1つである：
T（p）＝p，または、
T（p）＝pi，ここで、iは通常、2、3、4、または5に設定され、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【手続補正２４】
【補正対象書類名】明細書
【補正対象項目名】００６４
【補正方法】変更
【補正の内容】
【００６４】
前述の実施形態では、補間関数T（s）は、以下の関数のいずれか1つである：
T（s）＝s，または、
T（s）＝si，ここで、iは通常、2、3、4、または5に設定され、または、
T（s）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【手続補正２５】
【補正対象書類名】明細書
【補正対象項目名】００６５
【補正方法】変更
【補正の内容】
【００６５】
前述の実施形態では、タッチ情報がタッチ領域およびタッチ圧力である場合、処理部502は、S＝g（p）＊f（s）／g（sp）に従ってフィードバックグラフの領域サイズを決定するように特に構成され、ここで：
g（p）＝S0＋（S1−S0）＊T（p）
f（s）＝F0＋（F1−F0）＊s
f（sp）＝F0＋（F1−F0）＊sp
Sは、フィードバックグラフの決定された領域サイズであり；S0は、領域パラメータspの場合のフィードバックグラフの予め設定された最小領域であり；S1は、領域パラメータspの場合のフィードバックグラフの予め設定された最大領域であり；pは、取得したタッチ圧力の正規化値であって、
【数５】
2017502384.tif 000065
であり、ここで、Pinは、取得したタッチ圧力であり、Pminは、予め設定された最小タッチ圧力であり、Pmaxは、予め設定された最大タッチ圧力であり；T（p）は、補間関数であり；F0は、領域変動振幅の予め設定された最小値であり；F1は、領域変動振幅の予め設定された最大値であり；f（s）は、領域変動振幅の関数であり；sは、取得したタッチ領域の正規化値であって、
【数６】
2017502384.tif 000066
であり、ここで、Sinは、取得したタッチ領域であり、Sminは、予め設定された最小タッチ領域であり、Smaxは、予め設定された最大タッチ領域である。
【手続補正２６】
【補正対象書類名】明細書
【補正対象項目名】００６６
【補正方法】変更
【補正の内容】
【００６６】
前述の実施形態では、補間関数T（p）は、以下の関数のいずれか1つである：
T（p）＝p，または、
T（p）＝pi，ここで、iは通常、2、3、4、または5に設定され、または、
T（p）は、3次ベジェ曲線B（t）によって決定され、ここで、3次ベジェ曲線は、B（t）＝P0（1−t）3＋3P1（1−t）2t＋3P2（1−t）t2＋P3t3であり、P0、P1、P2、およびP3は、予め設定された4つの制御点である。
【国際調査報告】
2017502384.tif 000067
2017502384.tif 000068
2017502384.tif 000069
2017502384.tif 000070